(57)【要約】【課題】伸縮棚において、廃棄が容易なものを提供するとともに、伸縮棚として従来では使用されない素材を用いることにより、その素材の新たな利用方法を提供する。【解決手段】伸縮棚５は、左側構成部１０と右側構成部７０とから構成され、左側構成部１０と右側構成部７０とは互いにスライドする。左側構成部１０は、底面部１２と、背面部１４と、側面部１６とを有し、右側構成部７０は、底面部７２と、背面部７４と、側面部７６とを有している。底面部１２の下面には開口部が形成され、底面部７２の下面には該開口部に係止する係止片部が形成されていて、伸縮棚を最も伸ばした状態と最も縮めた状態の中間の位置で固定することができる。【選択図】図１
0003150856.tif 000002
【実用新案登録請求の範囲】
【請求項１】
伸縮棚であって、
左側構成部と、左側構成部に対してスライドする右側構成部とを有し、
左側構成部は、シート状の紙製のブランクにより形成されていて、
方形状の第１上側底面板部と、第１上側底面板部の正面側の辺部から下方に連設された長方形状の第１正面板部と、第１正面板部の下辺から背面側に連設され第１上側底面板部に対して略平行に設けられた略方形状の第１下側底面板部とを有する第１底面部と、
第１上側底面板部の正面視における左辺から下方に連設された第１側面板部と、
第１下側底面板部の正面視における左辺から上方に連設された第２側面板部と、
第１上側底面板部の背面側の端部と第１下側側板部の背面側の端部とから上方に連設された第１背面部と、
第１背面部の正面視における左辺から正面側に連設され、その下端領域において内側が第１側面板部に接着されるとともに外側が第２側面板部に接着された第１内側側面板部と、
第１内側側面板部から連設され第１内側側面板部と略平行に設けられる第１外側側面板部で、その下端領域において内側が第２側面板部に接着された第１外側側面板部と、
を有し、
右側構成部は、シート状の紙製のブランクにより形成されていて、
方形状の第２上側底面板部と、第２上側底面板部の正面側の辺部から下方に連設された長方形状の第２正面板部と、第２正面板部の下辺から背面側に連設され第２上側底面板部に対して略平行に設けられた略方形状の第２下側底面板部とを有する第２底面部と、
第２上側底面板部の正面視における右辺から下方に連設された第３側面板部と、
第２下側底面板部の正面視における右辺から上方に連設された第４側面板部と、
第２上側底面板部の背面側の端部と第２下側側板部の背面側の端部とから上方に連設された第２背面部と、
第２背面部の正面視における右辺から正面側に連設され、その下端領域において内側が第３側面板部に接着されるとともに外側が第４側面板部に接着された第２内側側面板部と、
第２内側側面板部から連設され第２内側側面板部と略平行に設けられる第２外側側面板部で、その下端領域において内側が第４側面板部に接着された第２外側側面板部と、
を有し、
左側構成部と右側構成部の一方の構成部における底面部が他方の構成部の底面部に挿入され、該一方の構成部における背面部においては、上側底面板部の背面側の端部から上方に連設された前側背面板部と下側底面板部の背面側の端部から上方に連設された後側背面板部とが接着され、該他方の構成部における背面部においては、上側底面板部の背面側の端部から上方に連設された前側背面板部と、下側底面板部の背面側の端部から上方に連設されるとともに前側背面板部の上辺から連設された後側背面板部とが間隔を介して設けられていて、該一方の構成部の背面部が該他方の構成部の背面部内に挿入されることにより、左側構成部と右側構成部とが互いに左右方向にスライド可能であることを特徴とする伸縮棚。
【請求項２】
該一方の構成部における下側底面板部には、係止用開口部が設けられ、該他方の構成部における後側底面板部は、該一方の構成部が挿入される側の辺部に第１切欠部が形成された本体部と、本体部から正面視において左右方向に形成された折れ線を介して該第１切欠部内に連設された係止片部で、本体部から該折れ線を介して連設され係止用開口部よりも小さく形成された略方形状の折曲片部と、該折曲片部から左右方向に折れ線を介して連設された先端片部とを有し、正面視左右方向の長さが係止用開口部の左右方向の長さよりも長く形成された係止片部とを有し、該係止片部が本体部に形成された第１切欠部の領域の一部に形成され、折曲片部の本体部との境界となる該折れ線側とは反対側には該第１切欠部の一部である第２切欠部が形成されていることを特徴とする請求項１に記載の伸縮棚。
【請求項３】
該係止用開口部が、方形状の開口部と該開口部に連設された半円状の切欠部とを有し、該第２切欠部の一部が半円状の切欠部の一部と対応する円弧状に形成され、左側構成部と右側構成部とが係止片部を係止用開口部に係止させる位置にある場合に、第２切欠部の円弧状部分と係止用開口部の半円状の切欠部の円弧状部分とが一致することを特徴とする請求項２に記載の伸縮棚。
【請求項４】
該一方の構成部の正面板部における該他の構成部へ挿入する側の端部には、折れ線を介して正面側に折り返して形成された第１脱落防止用板部が形成され、該他方の構成部の正面板部における該一方の構成部が挿入される側の端部には、折れ線を介して背面側に折り返して形成された第２脱落防止用板部が形成されていることを特徴とする請求項１又は２又は３に記載の伸縮棚。
【請求項５】
該一方の構成部の前側背面板部における該他の構成部へ挿入する側の端部には、折れ線を介して正面側又は背面側に折り返して形成された第３脱落防止用板部と、該他方の構成部の背面部においては、第３脱落防止用板部が背面側に折り返されている場合には、後側背面板部における該一方の構成部が挿入される側の端部に、折れ線を介して正面側に折り返して形成された第４脱落防止用板部が形成され、第３脱落防止用板部が正面側に折り返されている場合には、前側背面板部における該一方の構成部が挿入される側の端部に、折れ線を介して背面側に折り返して形成された第４脱落防止用板部が形成されていることを特徴とする請求項１又は２又は３又は４に記載の伸縮棚。
【請求項６】
伸縮棚であって、
左側構成部と、左側構成部に対してスライドする右側構成部とを有し、
左側構成部は、シート状の紙製のブランクにより形成されていて、
方形状の第１上側底面板部と、第１上側底面板部の正面側の辺部から下方に連設された長方形状の第１正面板部と、第１正面板部の下辺から背面側に連設され第１上側底面板部に対して略平行に設けられた略方形状の第１下側底面板部とを有する第１底面部と、
第１上側底面板部の正面視における左辺から下方に連設された第１側面板部と、
第１下側底面板部の正面視における左辺から上方に連設された第２側面板部と、
第１上側底面板部の背面側の端部と第１下側側板部の背面側の端部とから上方に連設された第１背面部と、
第１背面部の正面視における左辺から正面側に連設され、その下端領域において内側が第１側面板部に接着されるとともに外側が第２側面板部に接着された第１内側側面板部と、
第１内側側面板部から連設され第１内側側面板部と略平行に設けられる第１外側側面板部で、その下端領域において内側が第２側面板部に接着された第１外側側面板部と、
を有し、
右側構成部は、シート状の紙製のブランクにより形成されていて、
方形状の第２上側底面板部と、第２上側底面板部の正面側の辺部から下方に連設された長方形状の第２正面板部と、第２正面板部の下辺から背面側に連設され第２上側底面板部に対して略平行に設けられた略方形状の第２下側底面板部とを有する第２底面部と、
第２上側底面板部の正面視における右辺から下方に連設された第３側面板部と、
第２下側底面板部の正面視における右辺から上方に連設された第４側面板部と、
第２上側底面板部の背面側の端部と第２下側側板部の背面側の端部とから上方に連設された第２背面部と、
第２背面部の正面視における右辺から正面側に連設され、その下端領域において内側が第３側面板部に接着されるとともに外側が第４側面板部に接着された第２内側側面板部と、
第２内側側面板部から連設され第２内側側面板部と略平行に設けられる第２外側側面板部で、その下端領域において内側が第４側面板部に接着された第２外側側面板部と、
を有し、
左側構成部と右側構成部の一方の構成部における底面部が他方の構成部の底面部に挿入され、該一方の構成部における背面部においては、上側底面板部の背面側の端部から上方に連設された前側背面板部と下側底面板部の背面側の端部から上方に連設された後側背面板部とが接着されるとともに、該前側背面板部の上辺から背面側に折り返されて連設された第２後側背面板部が該前側背面板部に接着され、該一方の構成部における底面部においては、上側底面板部における他の構成部に挿入する側に側面板部が折れ線を介して形成されるとともに、下側底面板部における他の構成部に挿入する側に側面板部が折れ線を介して形成され、該他方の構成部における背面部においては、上側底面板部の背面側の端部から上方に連設された前側背面板部と、下側底面板部の背面側の端部から上方に連設されるとともに前側背面板部の上辺から連設された後側背面板部とが間隔を介して設けられていて、該一方の構成部の背面部が該他方の構成部の背面部内に挿入されることにより、左側構成部と右側構成部とが互いに左右方向にスライド可能であり、
該一方の構成部における下側底面板部には、係止用開口部が設けられ、該他方の構成部における後側底面板部は、該一方の構成部が挿入される側の辺部に第１切欠部が形成された本体部と、本体部から正面視において左右方向に形成された折れ線を介して該第１切欠部内に連設された係止片部で、本体部から該折れ線を介して連設され係止用開口部よりも小さく形成された略方形状の折曲片部と、該折曲片部から左右方向に折れ線を介して連設された先端片部とを有し、正面視左右方向の長さが係止用開口部の左右方向の長さよりも長く形成された係止片部とを有し、該係止片部が本体部に形成された第１切欠部の領域の一部に形成され、折曲片部の本体部との境界となる該折れ線側とは反対側には該第１切欠部の一部である第２切欠部が形成されており、
該係止用開口部が、方形状の開口部と該開口部に連設された半円状の切欠部とを有し、該第２切欠部の一部が半円状の切欠部の一部と対応する円弧状に形成され、
該一方の構成部の正面板部における該他の構成部へ挿入する側の端部には、折れ線を介して正面側に折り返して形成された第１脱落防止用板部が形成され、該他方の構成部の正面板部における該一方の構成部が挿入される側の端部には、折れ線を介して背面側に折り返して形成された第２脱落防止用板部が形成され、
該一方の構成部の前側背面板部における該他の構成部へ挿入する側の端部には、折れ線を介して正面側又は背面側に折り返して形成された第３脱落防止用板部と、該他方の構成部の背面部においては、第３脱落防止用板部が背面側に折り返されている場合には、後側背面板部における該一方の構成部が挿入される側の端部に、折れ線を介して正面側に折り返して形成された第４脱落防止用板部が形成され、第３脱落防止用板部が正面側に折り返されている場合には、前側背面板部における該一方の構成部が挿入される側の端部に、折れ線を介して背面側に折り返して形成された第４脱落防止用板部が形成されていることを特徴とする伸縮棚。
【請求項７】
該一方の構成部と該他方の構成部において、内側側面板部と外側側面板部とは帯状の帯状部を介して連設され、該他方の構成部において、前側背面板部と後側背面板部とは帯状の帯状部を介して連設され、該一方の構成部において、前側背面板部と該前側背面板部から連設された後側背面板部とは帯状の帯状部を介して連設されていることを特徴とする請求項６に記載の伸縮棚。
【考案の詳細な説明】
【技術分野】
【０００１】
本考案は、伸縮棚に関するものである。
【背景技術】
【０００２】
従来より、伸縮棚としては、特許文献１に示すように、左右方向に伸縮可能な枠体に、枠体の伸縮操作に伴って左右方向に伸縮できるようにした棚を設け、枠体内に枠体被覆カバーを設けたものや、特許文献２に示すように、対向した面に圧接されて取り付けられる基枠部と、基枠部に直交角度方向又は同一角度方向に固定され上側に物を載置する棚部とを備えたものが存在する。
【先行技術文献】
【特許文献】
【０００３】
【特許文献１】特開２０００−２１７６４５号公報
【特許文献２】特開平１０−１９２０７７号公報
【考案の概要】
【考案が解決しようとする課題】
【０００４】
しかし、上記特許文献１、２における伸縮棚においては、廃棄が容易でないという問題があった。また、伸縮棚として従来では使用されない素材を用いることにより、その素材の新たな利用方法が要望されていた。
【０００５】
そこで、本考案が解決しようとする問題点は、伸縮棚において、廃棄が容易なものを提供するとともに、伸縮棚として従来では使用されない素材を用いることにより、その素材の新たな利用方法を提供することである。
【課題を解決するための手段】
【０００６】
本考案は上記問題点を解決するために創作されたものであって、第１には、伸縮棚であって、左側構成部と、左側構成部に対してスライドする右側構成部とを有し、左側構成部は、シート状の紙製のブランクにより形成されていて、方形状の第１上側底面板部と、第１上側底面板部の正面側の辺部から下方に連設された長方形状の第１正面板部と、第１正面板部の下辺から背面側に連設され第１上側底面板部に対して略平行に設けられた略方形状の第１下側底面板部とを有する第１底面部と、第１上側底面板部の正面視における左辺から下方に連設された第１側面板部と、第１下側底面板部の正面視における左辺から上方に連設された第２側面板部と、第１上側底面板部の背面側の端部と第１下側側板部の背面側の端部とから上方に連設された第１背面部と、第１背面部の正面視における左辺から正面側に連設され、その下端領域において内側が第１側面板部に接着されるとともに外側が第２側面板部に接着された第１内側側面板部と、第１内側側面板部から連設され第１内側側面板部と略平行に設けられる第１外側側面板部で、その下端領域において内側が第２側面板部に接着された第１外側側面板部と、を有し、右側構成部は、シート状の紙製のブランクにより形成されていて、方形状の第２上側底面板部と、第２上側底面板部の正面側の辺部から下方に連設された長方形状の第２正面板部と、第２正面板部の下辺から背面側に連設され第２上側底面板部に対して略平行に設けられた略方形状の第２下側底面板部とを有する第２底面部と、第２上側底面板部の正面視における右辺から下方に連設された第３側面板部と、第２下側底面板部の正面視における右辺から上方に連設された第４側面板部と、第２上側底面板部の背面側の端部と第２下側側板部の背面側の端部とから上方に連設された第２背面部と、第２背面部の正面視における右辺から正面側に連設され、その下端領域において内側が第３側面板部に接着されるとともに外側が第４側面板部に接着された第２内側側面板部と、第２内側側面板部から連設され第２内側側面板部と略平行に設けられる第２外側側面板部で、その下端領域において内側が第４側面板部に接着された第２外側側面板部と、を有し、左側構成部と右側構成部の一方の構成部における底面部が他方の構成部の底面部に挿入され、該一方の構成部における背面部においては、上側底面板部の背面側の端部から上方に連設された前側背面板部と下側底面板部の背面側の端部から上方に連設された後側背面板部とが接着され、該他方の構成部における背面部においては、上側底面板部の背面側の端部から上方に連設された前側背面板部と、下側底面板部の背面側の端部から上方に連設されるとともに前側背面板部の上辺から連設された後側背面板部とが間隔を介して設けられていて、該一方の構成部の背面部が該他方の構成部の背面部内に挿入されることにより、左側構成部と右側構成部とが互いに左右方向にスライド可能であることを特徴とする。
【０００７】
上記第１の構成の伸縮棚においては、第１底面部や第２底面部の上面に被載置物を載置して棚として使用する。
【０００８】
また、伸縮棚を構成する各部は、紙製のブランクにより形成されているので、廃棄を容易とすることができる。また、伸縮棚を構成する各部が紙製であるので、伸縮棚として従来では使用されない素材を用いることにより、その素材の新たな利用方法を提供することができる。
【０００９】
また、伸縮棚は、伸びた状態と縮めた状態との間で伸縮することができるので、伸縮棚を載置するスペースの広さに応じて伸縮棚の長さを調整することができる。
【００１０】
また、左側構成部と右側構成部において、背面部は、前側背面板部と後側背面板部とで二重に形成され、また、側面部は、一対の側面板部により二重に形成されているので、紙製のブランクにより形成されていても本体部の強度を十分得ることができる。
【００１１】
また、第２には、上記第１の構成において、該一方の構成部における下側底面板部には、係止用開口部が設けられ、該他方の構成部における後側底面板部は、該一方の構成部が挿入される側の辺部に第１切欠部が形成された本体部と、本体部から正面視において左右方向に形成された折れ線を介して該第１切欠部内に連設された係止片部で、本体部から該折れ線を介して連設され係止用開口部よりも小さく形成された略方形状の折曲片部と、該折曲片部から左右方向に折れ線を介して連設された先端片部とを有し、正面視左右方向の長さが係止用開口部の左右方向の長さよりも長く形成された係止片部とを有し、該係止片部が本体部に形成された第１切欠部の領域の一部に形成され、折曲片部の本体部との境界となる該折れ線側とは反対側には該第１切欠部の一部である第２切欠部が形成されていることを特徴とする。よって、先端片部を折曲片部に対して折り曲げた状態で係止片部を内側に回動させて係止用開口部内に挿入して係止させることができ、伸縮棚を最も伸ばした状態と最も縮めた状態の中間の位置で左側構成部と右側構成部とを固定することができる。特に、係止片部が係止用開口部の左右方向の長さよりも長く形成されているので、係止片部を係止用開口部内に挿入すると先端片部が折曲片部に対して折り曲げた状態から復帰するので、係止片部を確実に係止することができる。また、第２切欠部が設けられているので、係止状態の係止片部を外側に回動させる際に第２切欠部に指を入れて操作することができる。
【００１２】
なお、上記第２の構成において、上記一方の構成部において、係止用開口部が前後方向に線対称に一対設けられ、上記他方の構成部において、第１切欠部が前後方向に線対称に一対設けられ、係止片部が前後方向に線対称に一対設けられるものとするのが好ましい。
【００１３】
また、第３には、上記第２の構成において、該係止用開口部が、方形状の開口部と該開口部に連設された半円状の切欠部とを有し、該第２切欠部の一部が半円状の切欠部の一部と対応する円弧状に形成され、左側構成部と右側構成部とが係止片部を係止用開口部に係止させる位置にある場合に、第２切欠部の円弧状部分と係止用開口部の半円状の切欠部の円弧状部分とが一致することを特徴とする。よって、左側構成部と右側構成部とをスライドさせて第２切欠部の円弧状部分と係止用開口部の半円状の切欠部の円弧状部分とが一致する状態にすれば、係止片部を内側に回動させることにより係止用開口部に係止させることができ、係止する操作が容易となる。
【００１４】
また、第４には、上記第１から第３までのいずれかの構成において、該一方の構成部の正面板部における該他の構成部へ挿入する側の端部には、折れ線を介して正面側に折り返して形成された第１脱落防止用板部が形成され、該他方の構成部の正面板部における該一方の構成部が挿入される側の端部には、折れ線を介して背面側に折り返して形成された第２脱落防止用板部が形成されていることを特徴とする。これにより、左側構成部と右側構成部とをスライドさせて伸縮棚を最も伸ばした状態とした場合でも左側構成部と右側構成部とが互いに脱落するのを防止することができる。
【００１５】
また、第５には、上記第１から第４までのいずれかの構成において、該一方の構成部の前側背面板部における該他の構成部へ挿入する側の端部には、折れ線を介して正面側又は背面側に折り返して形成された第３脱落防止用板部と、該他方の構成部の背面部においては、第３脱落防止用板部が背面側に折り返されている場合には、後側背面板部における該一方の構成部が挿入される側の端部に、折れ線を介して正面側に折り返して形成された第４脱落防止用板部が形成され、第３脱落防止用板部が正面側に折り返されている場合には、前側背面板部における該一方の構成部が挿入される側の端部に、折れ線を介して背面側に折り返して形成された第４脱落防止用板部が形成されていることを特徴とする。これにより、左側構成部と右側構成部とをスライドさせて伸縮棚を最も伸ばした状態とした場合でも左側構成部と右側構成部とが互いに脱落するのを防止することができる。
【００１６】
また、第６には、伸縮棚であって、左側構成部と、左側構成部に対してスライドする右側構成部とを有し、左側構成部は、シート状の紙製のブランクにより形成されていて、方形状の第１上側底面板部と、第１上側底面板部の正面側の辺部から下方に連設された長方形状の第１正面板部と、第１正面板部の下辺から背面側に連設され第１上側底面板部に対して略平行に設けられた略方形状の第１下側底面板部とを有する第１底面部と、第１上側底面板部の正面視における左辺から下方に連設された第１側面板部と、第１下側底面板部の正面視における左辺から上方に連設された第２側面板部と、第１上側底面板部の背面側の端部と第１下側側板部の背面側の端部とから上方に連設された第１背面部と、第１背面部の正面視における左辺から正面側に連設され、その下端領域において内側が第１側面板部に接着されるとともに外側が第２側面板部に接着された第１内側側面板部と、第１内側側面板部から連設され第１内側側面板部と略平行に設けられる第１外側側面板部で、その下端領域において内側が第２側面板部に接着された第１外側側面板部と、を有し、右側構成部は、シート状の紙製のブランクにより形成されていて、方形状の第２上側底面板部と、第２上側底面板部の正面側の辺部から下方に連設された長方形状の第２正面板部と、第２正面板部の下辺から背面側に連設され第２上側底面板部に対して略平行に設けられた略方形状の第２下側底面板部とを有する第２底面部と、第２上側底面板部の正面視における右辺から下方に連設された第３側面板部と、第２下側底面板部の正面視における右辺から上方に連設された第４側面板部と、第２上側底面板部の背面側の端部と第２下側側板部の背面側の端部とから上方に連設された第２背面部と、第２背面部の正面視における右辺から正面側に連設され、その下端領域において内側が第３側面板部に接着されるとともに外側が第４側面板部に接着された第２内側側面板部と、第２内側側面板部から連設され第２内側側面板部と略平行に設けられる第２外側側面板部で、その下端領域において内側が第４側面板部に接着された第２外側側面板部と、を有し、左側構成部と右側構成部の一方の構成部における底面部が他方の構成部の底面部に挿入され、該一方の構成部における背面部においては、上側底面板部の背面側の端部から上方に連設された前側背面板部と下側底面板部の背面側の端部から上方に連設された後側背面板部とが接着されるとともに、該前側背面板部の上辺から背面側に折り返されて連設された第２後側背面板部が該前側背面板部に接着され、該一方の構成部における底面部においては、上側底面板部における他の構成部に挿入する側に側面板部が折れ線を介して形成されるとともに、下側底面板部における他の構成部に挿入する側に側面板部が折れ線を介して形成され、該他方の構成部における背面部においては、上側底面板部の背面側の端部から上方に連設された前側背面板部と、下側底面板部の背面側の端部から上方に連設されるとともに前側背面板部の上辺から連設された後側背面板部とが間隔を介して設けられていて、該一方の構成部の背面部が該他方の構成部の背面部内に挿入されることにより、左側構成部と右側構成部とが互いに左右方向にスライド可能であり、該一方の構成部における下側底面板部には、係止用開口部が設けられ、該他方の構成部における後側底面板部は、該一方の構成部が挿入される側の辺部に第１切欠部が形成された本体部と、本体部から正面視において左右方向に形成された折れ線を介して該第１切欠部内に連設された係止片部で、本体部から該折れ線を介して連設され係止用開口部よりも小さく形成された略方形状の折曲片部と、該折曲片部から左右方向に折れ線を介して連設された先端片部とを有し、正面視左右方向の長さが係止用開口部の左右方向の長さよりも長く形成された係止片部とを有し、該係止片部が本体部に形成された第１切欠部の領域の一部に形成され、折曲片部の本体部との境界となる該折れ線側とは反対側には該第１切欠部の一部である第２切欠部が形成されており、該係止用開口部が、方形状の開口部と該開口部に連設された半円状の切欠部とを有し、該第２切欠部の一部が半円状の切欠部の一部と対応する円弧状に形成され、該一方の構成部の正面板部における該他の構成部へ挿入する側の端部には、折れ線を介して正面側に折り返して形成された第１脱落防止用板部が形成され、該他方の構成部の正面板部における該一方の構成部が挿入される側の端部には、折れ線を介して背面側に折り返して形成された第２脱落防止用板部が形成され、該一方の構成部の前側背面板部における該他の構成部へ挿入する側の端部には、折れ線を介して正面側又は背面側に折り返して形成された第３脱落防止用板部と、該他方の構成部の背面部においては、第３脱落防止用板部が背面側に折り返されている場合には、後側背面板部における該一方の構成部が挿入される側の端部に、折れ線を介して正面側に折り返して形成された第４脱落防止用板部が形成され、第３脱落防止用板部が正面側に折り返されている場合には、前側背面板部における該一方の構成部が挿入される側の端部に、折れ線を介して背面側に折り返して形成された第４脱落防止用板部が形成されていることを特徴とする。
【００１７】
上記第６の構成の伸縮棚においては、第１底面部や第２底面部の上面に被載置物を載置して棚として使用する。
【００１８】
また、伸縮棚を構成する各部は、紙製のブランクにより形成されているので、廃棄を容易とすることができる。また、伸縮棚を構成する各部が紙製であるので、伸縮棚として従来では使用されない素材を用いることにより、その素材の新たな利用方法を提供することができる。
【００１９】
また、伸縮棚は、伸びた状態と縮めた状態との間で伸縮することができるので、伸縮棚を載置するスペースの広さに応じて伸縮棚の長さを調整することができる。
【００２０】
また、左側構成部と右側構成部において、背面部は、前側背面板部と後側背面板部とで二重に形成され、また、側面部は、一対の側面板部により二重に形成されているので、紙製のブランクにより形成されていても本体部の強度を十分得ることができる。
先端片部を折曲片部に対して折り曲げた状態で係止片部を内側に回動させて係止用開口部内に挿入して係止させることができ、伸縮棚を最も伸ばした状態と最も縮めた状態の中間の位置で左側構成部と右側構成部とを固定することができる。特に、係止片部が係止用開口部の左右方向の長さよりも長く形成されているので、係止片部を係止用開口部内に挿入すると先端片部が折曲片部に対して折り曲げた状態から復帰するので、係止片部を確実に係止することができる。また、第２切欠部が設けられているので、係止状態の係止片部を外側に回動させる際に第２切欠部に指を入れて操作することができる。また、特に、左側構成部と右側構成部とをスライドさせて第２切欠部の円弧状部分と係止用開口部の半円状の切欠部の円弧状部分とが一致する状態にすれば、係止片部を内側に回動させることにより係止用開口部に係止させることができ、係止する操作が容易となる。また、脱落防止用板部が設けられているので、左側構成部と右側構成部とをスライドさせて伸縮棚を最も伸ばした状態とした場合でも左側構成部と右側構成部とが互いに脱落するのを防止することができる。
【００２１】
また、第７には、上記第６の構成において、該一方の構成部と該他方の構成部において、内側側面板部と外側側面板部とは帯状の帯状部を介して連設され、該他方の構成部において、前側背面板部と後側背面板部とは帯状の帯状部を介して連設され、該一方の構成部において、前側背面板部と該前側背面板部から連設された後側背面板部とは帯状の帯状部を介して連設されていることを特徴とする。
【考案の効果】
【００２２】
本考案に基づく伸縮棚によれば、伸縮棚を構成する各部は、紙製のブランクにより形成されているので、廃棄を容易とすることができる。また、伸縮棚を構成する各部が紙製であるので、伸縮棚として従来では使用されない素材を用いることにより、その素材の新たな利用方法を提供することができる。
【００２３】
また、伸縮棚は、伸びた状態と縮めた状態との間で伸縮することができるので、伸縮棚を載置するスペースの広さに応じて伸縮棚の長さを調整することができる。
【００２４】
また、左側構成部と右側構成部において、背面部は、前側背面板部と後側背面板部とで二重に形成され、また、側面部は、一対の側面板部により二重に形成されているので、紙製のブランクにより形成されていても本体部の強度を十分得ることができる。
【図面の簡単な説明】
【００２５】
【図１】伸縮棚を伸ばした状態の前方斜視図である。
【図２】伸縮棚を縮めた状態の前方斜視図である。
【図３】伸縮棚を伸ばした状態の後方斜視図である。
【図４】伸縮棚を縮めた状態の後方斜視図である。
【図５】伸縮棚の要部底面図である。
【図６】伸縮棚の前方分解斜視図である。
【図７】伸縮棚の後方分解斜視図である。
【図８】左側構成部を構成するブランクの展開図である。
【図９】左側構成部を構成するブランクの展開図である。
【図１０】右側構成部を構成するブランクの展開図である。
【図１１】図１０の要部拡大図である。
【図１２】右側構成部を構成するブランクの展開図である。
【図１３】右側構成部の係止片部を左側構成部の開口部に係止した状態を示す要部斜視図である。
【考案を実施するための形態】
【００２６】
本考案においては、廃棄が容易な伸縮棚を提供するとともに、伸縮棚として従来では使用されない素材を用いることにより、その素材の新たな利用方法を提供するという目的を以下のようにして実現した。
【００２７】
本考案に基づく伸縮棚５は、図１〜図１２に示すように構成され、左側構成部１０と、右側構成部７０とを有し、互いにスライド可能に形成され伸縮するようになっている。なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【００２８】
ここで、左側構成部１０は、底面部（第１底面部）１２と、底面部１２の背面側から立設した背面部（第１背面部）１４と、底面部１２の左側面側から立設した側面部１６とを有している。側面部１６の上端は、正面側から背面側に向けて上向きに直線状に傾斜している。
【００２９】
この左側構成部１０は、図８に示すブランク２０と図９に示すブランク５０とにより形成されている。ブランク２０とブランク５０は、シート状を呈していて、シート状部材（例えば、段ボール材）により形成されている。
【００３０】
ブランク２０は、図８に示すように、上側底面板部（第１上側底面板部）２２と、正面板部（第１正面板部）２４と、下側底面板部（第１下側底面板部）２６と、後側背面板部３４と、側面板部（第１側面板部）３６と、フラップ部３８と、側面板部（第２側面板部）４０と、側面板部４２と、差込み片部４４と、脱落防止用板部（第１脱落防止用板部）４６と、側面板部４８とを有している。このブランク２０は、主として、左側構成部１０の底面部１２を構成する。
【００３１】
すなわち、上側底面板部２２は、長方形状の板状を呈していて、左側構成部１０の組立て状態においては水平方向に設けられる。
【００３２】
また、正面板部２４は、上側底面板部２２のＹ１側の辺部から折れ線を介して連設され、細長の長方形状を呈している。
【００３３】
また、下側底面板部２６は、正面板部２４の上側底面板部２２側とは反対側の辺部から折れ線を介して連設され、上側底面板部２２と略同大同形状の外形を有している。また、下側底面板部２６には、２つの開口部（係止用開口部）２８ａ、２８ｂが形成されている。開口部２８ａは、長方形状の開口部３０ａと開口部３０ａの長辺側から外側に形成された略半円形状の切欠部３２ａとを有した形状となっている。開口部２８ｂは、開口部２８ａと線対称に形成され、長方形状の開口部３０ｂと略半円形状の切欠部３２ｂとから形成されている。なお、開口部２８ａ、２８ｂの下側底面板部２６の長手方向（Ｘ１−Ｘ２方向）における形成位置は、右側構成部７０の底面部７２における一対の係止片部９１−１、９１−２を開口部２８ａ、２８ｂに係止させた際に、伸縮棚５全体の横方向の長さが略４５ｃｍとなる位置となっている。また、開口部３０ａの切欠部３２ａ側の２つの角部はアール状に形成されており、また、開口部３０ｂの切欠部３２ｂ側の２つの角部はアール状に形成されている。
【００３４】
また、後側背面板部３４は、下側底面板部２６の正面板部２４側とは反対側の辺部から折れ線を介して連設され、長方形状の角部に台形形状の切欠部を形成した形状となっている。すなわち、ブランク５０における後側背面板部６８の一部用のスペースを形成するための切欠部が形成されている。
【００３５】
また、側面板部３６は、上側底面板部２２のＸ１側の辺部からは折れ線を介して連設され、略台形形状を呈している。また、フラップ部３８は、正面板部２４のＸ１側の辺部から折れ線を介して連設され、略台形形状を呈している。また、側面板部４０は、下側底面板部２６のＸ１側の辺部から折れ線を介して連設され、略台形形状にフラップ部３８用のスペースを形成するための切欠部が形成された形状を呈している。
【００３６】
また、側面板部４２は、上側底面板部２２のＸ２側の辺部から折れ線を介して連設され、細長長方形状を呈している。また、差込み片部４４は、側面板部４２の上側底面板部２２とは反対側の辺部から折れ線を介して連設されている。この差込み片部４４は、下側底面板部２６と側面板部４８との境界位置に設けられた差込み部４８ａに差し込むための片部である。また、脱落防止用板部４６は、正面板部２４のＸ２側の辺部から折れ線を介して連設され、略台形形状を呈している。また、側面板部４８は、下側底面板部２６のＸ２側の辺部から折れ線を介して連設され、略台形形状を呈している。下側底面板部２６と側面板部４８との境界位置には、略直線状（厳密には、略コ字状）の切込みにより形成された差込み部４８ａが形成されている。
【００３７】
左側構成部１０の組立て状態においては、正面板部２４と側面板部３６、４２は、上側底面板部２２に対して直角となり、フラップ部３８は、正面板部２４に対して直角となる。また、脱落防止用板部４６は、正面板部２４に対して正面側に折り返した状態となる。また、下側底面板部２６は、上側底面板部２２に対して平行となり、正面板部２４、側面板部４０、４８、後側背面板部３４は、下側底面板部２６に対して直角となる。また、差込み片部４４は、側面板部４２の内側に側面板部４８が接した状態で、差込み部４８ａに差し込まれる。
【００３８】
また、ブランク５０は、図９に示すように、前側背面板部５２と、帯状部５４と、後側背面板部５６と、底面板部５８と、帯状部５９と、脱落防止用板部（第３脱落防止用板部）６０と、側面板部（第１内側側面板部）６２と、帯状部６４と、側面板部（第１外側側面板部）６６と、後側背面板部６８とを有している。
【００３９】
すなわち、前側背面板部５２は、長方形状を呈し、その左右方向の長さは、上側底面板部２２や下側底面板部２６の左右方向の長さと略同一となっている。また、帯状部５４は、前側背面板部５２の上辺から折れ線を介して連設され該上辺に沿って帯状に形成されている。また、後側背面板部５６は、長方形状に台形形状の切欠部を形成した形状を呈し、その上下方向の長さ（図９においてはＹ１−Ｙ２方向の長さ）は、後側背面板部５６の上下方向の長さと後側背面板部３４の上下方向の長さを足した長さが、前側背面板部２２の上下方向の長さと略同一となるように設定されている。また、底面板部５８は、前側背面板部５２の下辺から折れ線（折れ線には切込みが所定間隔にミシン目状に形成されている）を介して連設され、細長の略台形形状を呈している。また、帯状部５９は、前側背面板部５２のＸ２側の辺部から折れ線を介して連設され、帯状を呈している。また、脱落防止用板部６０は、帯状部５９の前側背面板部５２側とは反対側の辺部から折れ線を介して連設され、細長の略台形形状を呈している。また、側面板部６２は、前側背面板部５２のＸ１側の辺部から折れ線（折れ線には切込みが所定間隔にミシン目状に形成されている）を介して連設され、台形形状の下端の角部に三角形状の切欠部を形成した形状を呈している。つまり、直角三角形の下側に台形形状を連設した形状を呈している。なお、側面板部６２の帯状部６４と接する辺部は、側面板部６２と前側背面板部５２の境界線の上端から該境界線に対して斜めに傾斜して形成されている。また、帯状部６４は、側面板部６２の傾斜した辺部から折れ線を介して連設され該辺部に沿って帯状に形成されている。また、側面板部６６は、帯状部６４の側面板部６２とは反対側の辺部から折れ線を介して連設され、略台形形状を呈している。つまり、三角形状の下側に長方形状を接続した形状を呈していて、側面板部６２と略同大同形状（すなわち、側面板部６２において切欠部が形成されていない形状）に形成されている。また、後側背面板部６８は、側面板部６６の背面側の辺部から折れ線を介して連設され、細長の略台形形状を呈している。なお、上記の構成において、帯状部５４や帯状部５９や帯状部６４の構成を省略してもよい。
【００４０】
左側構成部１０の組立て状態においては、後側背面板部５６は、前側背面板部５２の背面側に折り返されて接着され（帯状部５４は前側背面板部５２及び後側背面板部５６と直角になる）、脱落防止用板部６０は、前側背面板部５２の背面側に折り返され、底面板部５８は、前側背面板部５２に対して直角となる。また、側面板部６２は、前側背面板部５２に対して直角となり、側面板部６６は、側面板部６２に対して平行となる。また、後側背面板部６８は、前側背面板部５２の背面側に接着されて、側面板部６６に対して直角となる。
【００４１】
左側構成部１０を組み立てるには、まず、ブランク２０において、正面板部２４を上側底面板部２２に対して折曲し、下側底面板部２６を正面板部２４に対して折曲して上側底面板部２２に対して平行とし、後側背面板部３４を下側底面板部２６に対して折曲する。また、側面板部４８を下側底面板部２６に対して折曲し、その後、側面板部４２を上側底面板部２２に対して折曲して差込み片部４４を差込み部４８ａに差し込んでおく。なお、脱落防止用板部４６は、正面板部２４に対して正面側に折り返した状態としておく。また、側面板部３６を上側底面板部２２に対して折曲し、フラップ部３８を正面板部２４に対して折曲し、側面板部４０を下側底面板部２６に対して折曲しておく。一方、ブランク５０において、後側背面板部５６を前側背面板部５２の背面側に折り返して前側背面板部５２の背面側に接着し、底面板部５８を前側背面板部５２の正面側に折曲させ、脱落防止用板部６０を前側背面板部５２の背面側に折り返しておき、また、側面板部６２を前側背面板部５２に対して正面側に折曲させ、帯状部６４を側面板部６２に対して折曲するとともに、側面板部６６を帯状部６４に対して折曲させて側面板部６２の外側に平行となるようにする。
【００４２】
その後、ブランク２０とブランク５０とを接着させる。すなわち、後側背面板部３４を前側背面板部５２の背面側に接着させる（その際、後側背面板部３４の先端と後側背面板部５６の先端とが当接するようにする）とともに、底面板部５８を上側底面板部２２の下面に接着する（その際、上側底面板部２２の背面側の端部が前側背面板部５２の下端に当接するようにする）。その後、上側底面板部２２に対して折曲した側面板部３６の外側の面に側面板部６２の下端領域を接着させ（側面板部３６の下辺と側面板部６２の下辺とを略一致させる）、その後、側面板部４０とフラップ部３８とを側面板部６２の外側の面に接着し、その後、側面板部６６の下端領域を側面板部４０とフラップ部３８の外側の面に接着させる。さらに、後側背面板部６８を側面板部６６に対して折曲して、前側背面板部５２の背面側に接着させる。以上のようにして、左側構成部１０が組み立てられる。
【００４３】
なお、組立て状態における左側本体部１０において、上側底面板部２２と、正面板部２４と、下側底面板部２６と、側面板部４２と、差込み片部４４と、脱落防止用板部４６と、側面板部４８と、底面板部５８とが底面部１２を構成し、後側背面板部３４と、前側背面板部５２と、帯状部５４と、後側背面板部５６と、脱落防止用板部６０と、後側背面板部６８とが背面部１４を構成し、側面板部６２と、帯状部６４と、側面板部６６と、側面板部３６と、フラップ部３８と、側面板部４０とが側面部１６を構成する。
【００４４】
また、左側構成部１０においては、正面視における右側が、右側構成部（他方の構成部）７０へ挿入する側となる。
【００４５】
また、右側構成部７０は、底面部（第２底面部）７２と、底面部７２の背面側から立設した背面部（第２背面部）７４と、底面部７２の右側面側から立設した側面部７６とを有している。側面部７６の上端は、正面側から背面側に向けて上向きに直線状に傾斜している。
【００４６】
この右側構成部７０は、図１０に示すブランク８０と図１１に示すブランク１１０とにより形成されている。ブランク８０とブランク１１０は、シート状を呈していて、シート状部材（例えば、段ボール材）により形成されている。
【００４７】
ブランク８０は、図１０に示すように、上側底面板部８２と、正面板部８４と、下側底面板部８６と、後側背面板部９６と、側面板部（第３側面板部）９８と、フラップ部１００と、側面板部（第４側面板部）１０２と、脱落防止用板部（第２脱落防止用板部）１０４とを有している。このブランク８０は、主として、右側構成部７０の底面部７２を構成する。
【００４８】
すなわち、上側底面板部８２は、長方形状の板状を呈していて、右側構成部７０の組立て状態においては水平方向に設けられる。
【００４９】
また、正面板部８４は、上側底面板部８２のＹ１側の辺部から折れ線を介して連設され、細長の長方形状を呈している。
【００５０】
また、下側底面板部８６は、正面板部８４の上側底面板部８２側とは反対側の辺部から折れ線を介して連設され、長方形状（上側底面板部８２と略同大同形状の長方形状）に所定の切欠きや切込みが形成された構成となっていて、本体部８７と、係止片部９１−１、９１−２とを有している。係止片部９１−１は、折曲片部９２−１と先端片部９４−１とを有し、係止片部９１−２は、折曲片部９２−２と先端片部９４−２とを有している。係止片部９１−１と係止片部９１−２とは線対称に形成されている。
【００５１】
すなわち、本体部８７は、長方形状に一方の辺部側（Ｘ１側）に切欠部（第１切欠部）を形成した形状であり、切欠部は、一対の直線状の辺部８８ａ（Ｘ１−Ｘ２方向の辺部）と、辺部８８ａから連設された円弧状（１／４円弧状）の辺部８８ｂと、辺部８８ｂから連設された円弧状（１／４円弧状）の辺部（実際には、折曲片部９２−１、９２−２が隣接して設けられているので切込み８８ｃとなっている）と、該辺部から連設された一対の直線状の辺部（Ｙ１−Ｙ２方向の辺部）（実際には、折曲片部９２−１、９２−２が設けられているので切込み８８ｄとなっている）と、該直線状の辺部から連設された直線状の辺部（Ｘ１−Ｘ２方向の辺部）（実際には、折曲片部９２−１、９２−２との間の折れ線となっている）と、該直線状の辺部から連設され下側底面板部８６のＸ１側の辺部に連設された傾斜状の辺部８８ｅとにより形成されている。なお、辺部８８ｂの形成位置（特に、Ｙ１−Ｙ２方向における形成位置）は、切欠部３２ａ、３２ｂの円弧と略同径であり、左側構成部１０をスライドさせて所定の位置において、切欠部３２ａ、３２ｂの円弧が円弧状の辺部８８ｂと略一致するようになっている。以上のように本体部８７の形状としては、Ｘ１側の辺部側に切欠部（第１切欠部）が線対称に形成され、２つの切欠部に挟まれた部分が突出部９０となる。
【００５２】
また、折曲片部９２−１は、突出部９０のＹ２側の辺部から折れ線を介して連設され、切込み８８ｄ、８８ｃと突出部９０との境界線とＸ１−Ｘ２方向の辺部とＹ１−Ｙ２方向の辺部（先端片部９４−１との境界線）とで囲まれた形状となっている。この折曲片部９２−１は、開口部３０ａよりも小さく形成され（つまり、縦方向の長さと横方向の長さともに開口部３０ａよりも小さく形成されている）、先端片部９４−１を折曲片部９２−１に対して折り曲げた状態で折曲片部９２−１を開口部３０ａ内に折り曲げることができるようになっている。また、先端片部９４−１は、折曲片部９２−１のＸ１側の辺部から折れ線を介して連設され、略台形形状を呈している。係止片部９１−１のＸ１−Ｘ２方向の長さ（先端片部９４−１のＸ１側の端部から折曲片部９２−１のＸ２側の端部までのＸ１−Ｘ２方向の長さ）α１は、開口部３０ａのＸ１−Ｘ２方向の長さよりも長く形成されている。
【００５３】
また、折曲片部９２−２は、突出部９０のＹ１側の辺部から折れ線を介して連設され、切込み８８ｄ、８８ｃと突出部９０との境界線とＸ１−Ｘ２方向の辺部とＹ１−Ｙ２方向の辺部（先端片部９４−２との境界線）とで囲まれた形状となっている。この折曲片部９２−２は、開口部３０ｂよりも小さく形成され（つまり、縦方向の長さと横方向の長さともに開口部３０ｂよりも小さく形成されている）、先端片部９４−２を折曲片部９２−２に対して折り曲げた状態で折曲片部９２−２を開口部３０ｂ内に折り曲げることができるようになっている。また、先端片部９４−２は、折曲片部９２−２のＸ１側の辺部から折れ線を介して連設され、略台形形状を呈している。係止片部９１−２のＸ１−Ｘ２方向の長さ（先端片部９４−２のＸ１側の端部から折曲片部９２−２のＸ２側の端部までのＸ１−Ｘ２方向の長さ）α２は、開口部３０ｂのＸ１−Ｘ２方向の長さよりも長く形成されている。
【００５４】
また、係止片部９１−１の外側（Ｙ２側）には、本体部８７との間に切欠部（第２切欠部）９５−１が形成されている。つまり、切欠部９５−１は、辺部８８ａと辺部８８ｂと係止片部９１−１のＹ２側の辺部とにより形成されている。同様に、係止片部９１−２の外側（Ｙ１側）には、本体部８７との間に切欠部（第２切欠部）９５−２が形成されている。つまり、切欠部９５−２は、辺部８８ａと辺部８８ｂと係止片部９１−２のＹ１側の辺部とにより形成されている。
【００５５】
また、後側背面板部９６は、下側底面板部８６の正面板部８４側とは反対側の辺部から折れ線を介して連設され、細長の台形形状を呈している。
【００５６】
また、側面板部９８は、上側底面板部８２のＸ２側の辺部から折れ線を介して連設され、略台形形状を呈している。また、フラップ部１００は、正面板部８４のＸ２側の辺部から折れ線を介して連設され、略台形形状を呈している。また、側面板部１０２は、下側底面板部８６のＸ２側の辺部から折れ線を介して連設され、略台形形状にフラップ部１００用のスペースを形成するための切欠部が形成された形状を呈している。
【００５７】
また、脱落防止用板部１０４は、正面板部８４のＸ１側の辺部から折れ線を介して連設され、略台形形状を呈している。
【００５８】
右側構成部７０の組立て状態においては、正面板部８４と側面板部９８は、上側底面板部８２に対して直角となり、フラップ部１００は、正面板部８４に対して直角となる。また、脱落防止用板部１０４は、正面板部８４に対して背面側に折り返した状態となる。また、下側底面板部８６は、上側底面板部８２に対して平行となり、正面板部８４、側面板部１０２、後側背面板部９６は、下側底面板部８６に対して直角となる。
【００５９】
また、ブランク１１０は、図１２に示すように、前側背面板部１１２と、帯状部１１４と、後側背面板部１１６と、底面板部１１８と、脱落防止用板部（第４脱落防止用板部）１２０と、側面板部（第２内側側面板部）１２２と、帯状部１２４と、側面板部（第２外側側面板部）１２６と、後側背面板部１２８とを有している。
【００６０】
すなわち、前側背面板部１１２は、長方形状を呈し、その左右方向の長さは、上側底面板部８２や下側底面板部８６の左右方向の長さと略同一となっている。また、帯状部１１４は、前側背面板部１１２の上辺から折れ線を介して連設され該上辺に沿って帯状に形成されている。また、後側背面板部１１６は、長方形状を呈し、後側背面板部９６と接着するために前側背面板部１１２よりも上下方向の長さが長く形成されている。後側背面板部１１６の左右方向の長さは前側背面板部１１２と略同一となっている。また、底面板部１１８は、前側背面板部１１２の下辺から折れ線（折れ線には切込みが所定間隔にミシン目状に形成されている）を介して連設され、細長の略台形形状を呈している。また、脱落防止用板部１２０は、後側背面板部１１６のＸ１側の辺部から折れ線（折れ線には切込みが所定間隔にミシン目状に形成されている）を介して連設され、細長の略台形形状を呈している。また、側面板部１２２は、前側背面板部１１２のＸ２側の辺部から折れ線（折れ線には切込みが所定間隔にミシン目状に形成されている）を介して連設され、台形形状を呈している。つまり、直角三角形の下側に長方形状を連設した形状を呈している。なお、側面板部１２２の帯状部１２４と接する辺部は、側面板部１２２と前側背面板部１１２の境界線の上端から該境界線に対して斜めに傾斜して形成されている。また、帯状部１２４は、側面板部１２２の傾斜した辺部から折れ線を介して連設され該辺部に沿って帯状に形成されている。また、側面板部１２６は、帯状部１２４の側面板部１２２とは反対側の辺部から折れ線を介して連設され、略台形形状を呈している。つまり、三角形状の下側に長方形状を接続した形状を呈していて、側面板部１２２と同大同形状に形成されている。また、後側背面板部１２８は、側面板部１２６の背面側の辺部から折れ線を介して連設され、細長の略台形形状を呈している。なお、上記の構成において、帯状部１１４や帯状部１２４の構成を省略してもよい。
【００６１】
右側構成部７０の組立て状態においては、後側背面板部１１６は、前側背面板部１１２の背面側に折り返されて（帯状部１１４は前側背面板部１１２及び後側背面板部１１６と直角になる）前側背面板部１１２と平行に設けられ、脱落防止用板部１２０は、後側背面板部１１６の正面側に折り返されて、前側背面板部１１２と後側背面板部１１６の間に設けられる。底面板部１１８は、前側背面板部１１２に対して直角となる。また、側面板部１２２は、前側背面板部１１２に対して直角となり、側面板部１２６は、側面板部１２２に対して平行となる。また、後側背面板部１２８は、後側背面板部１１６の背面側に接着されて、側面板部１２６に対して直角となる。
【００６２】
右側構成部７０を組み立てるには、まず、ブランク８０において、正面板部８４を上側底面板部８２に対して折曲し、下側底面板部８６を正面板部８４に対して折曲して上側底面板部８２に対して平行とし、後側背面板部９６を下側底面板部８６に対して折曲する。なお、脱落防止用板部１０４は、正面板部８４に対して背面側に折り返した状態としておく。また、側面板部９８を上側底面板部８２に対して折曲し、フラップ部１００を正面板部８４に対して折曲し、側面板部１０２を下側底面板部８６に対して折曲しておく。一方、ブランク１１０において、後側背面板部１１６を前側背面板部１１２の背面側に折り返して前側背面板部１１２と平行にし、底面板部１１８を前側背面板部１１２の正面側に折曲させ、脱落防止用板部１２０を後側背面板部１１６の正面側で前側背面板部１１２の背面側に折り返しておき、また、側面板部１２２を前側背面板部１１２に対して正面側に折曲させ、帯状部１２４を側面板部１２２に対して折曲するとともに、側面板部１２６を帯状部１２４に対して折曲させて側面板部１２２の外側に平行となるようにする。
【００６３】
その後、ブランク８０とブランク１１０とを接着させる。すなわち、後側背面板部９６を後側背面板部１１６の正面側に接着させる（その際、後側背面板部１１６の下端を後側背面板部９６の下端（つまり、下側底面板部８６との境界線の位置に合わせる）とともに、底面板部１１８を上側底面板部８２の下面に接着する（その際、上側底面板部８２の背面側の端部が前側背面板部１１２の下端に当接するようにする）。その後、上側底面板部８２に対して折曲した側面板部９８の外側の面に側面板部１２２の下端領域を接着させ（側面板部９８の下辺と側面板部１２２の下辺とを略一致させる）、その後、側面板部１０２とフラップ部１００とを側面板部１２２の外側の面に接着し、その後、側面板部１２６の下端領域を側面板部１０２とフラップ部１００の外側の面に接着させる。さらに、後側背面板部１２８を側面板部１２６に対して折曲して、後側背面板部１１６の背面側に接着させる。以上のようにして、右側構成部７０が組み立てられる。
【００６４】
なお、組立て状態における右側本体部７０において、上側底面板部８２と、正面板部８４と、下側底面板部８６と、脱落防止用板部１０４とが底面部７２を構成し、後側背面板部９６と、前側背面板部１１２と、帯状部１１４と、後側背面板部１１６と、脱落防止用板部１２０と、後側背面板部１２８とが背面部７４を構成し、側面板部１２２と、帯状部１２４と、側面板部１２６と、側面板部９８と、フラップ部１００と、側面板部１０２とが側面部７６を構成する。
【００６５】
また、右側構成部７０においては、正面視における左側が、左側構成部（一方の構成部）１０が挿入される側となる。
【００６６】
上記のようにして組み立てられた左側構成部１０と右側構成部７０とを組み立てるには、左側構成部１０を右側構成部７０の内側に挿通する。すなわち、左側構成部１０の底面部１２を右側構成部７０の底面部７２内に挿通し、左側構成部１０の背面部１４を右側構成部７０の背面部７４内に挿通する。これにより、底面部１２における底面部７２内に挿通された部分においては、上側底面板部２２は上側底面板部８２の下側に位置し、正面板部２４は正面板部８４の背面側に位置し、下側底面板部２６は下側底面板部８６の上側に位置する。また、背面部１４における背面部７４内に挿通された部分においては、前側背面板部５２は前側背面板部１１２の背面側に位置し、後側背面板部３４、５６は、後側背面板部１１６の正面側に位置する。
【００６７】
また、左側構成部１０の脱落防止用板部６０は前側背面板部５２に対して背面側に折り返された状態とし、右側構成部７０の脱落防止用板部１２０は後側背面板部１１６に対して正面側に折り返された状態とする。また、左側構成部１０の脱落防止用板部４６は正面板部２４に対して正面側に折り返された状態とし、右側構成部７０の脱落防止用板部１０４は正面板部８４に対して背面側に折り返された状態とする。
【００６８】
なお、伸縮棚５を図１、図３に示すように最も長くした状態においては、約９０ｃｍとなり、図２、図４に示すように最も短くした状態においては、約４５ｃｍとなるように設定されている。
【００６９】
上記構成の伸縮棚５の使用状態について説明する。伸縮棚５においては、底面部１２、７２の上面に被載置物を載置して棚として使用する。左側構成部１０と右側構成部７０とは互いに左右方向にスライドするので、伸縮棚５の設置場所の状況に応じて左右方向の長さを所望の長さに調節して使用する。例えば、図１、図３に示すように、最も長く伸ばした状態で使用する場合や、図２、図４に示すように最も短く縮めた状態で使用する場合や、図１３に示すように、係止片部９１−１を開口部２８ａ内に係止させるとともに係止片部９１−２を開口部２８ｂ内に係止させることにより使用する場合がある。
【００７０】
止片部９１−１を開口部２８ａ内に係止させるとともに係止片部９１−２を開口部２８ｂ内に係止させる場合には、以下のようにして行なう。すなわち、左側本体部１０と右側本体部７０とを互いにスライドさせて開口部２８ａの切欠部３２ａの円弧と下側底面板部８６の切欠部の円弧８８ｂとが一致するとともに、開口部２８ｂの切欠部３２ｂの円弧と下側底面板部８６の切欠部の円弧８８ｂとが一致する状態とする。その後、先端片部９４−１を折曲片部９２−１に対して折り曲げて（底面側と上面側のいずれかに折り曲げる）、折曲片部９２−１を開口部２８ａ内に回動させることにより、先端片部９４−１が折曲片部９２−１に対して折り曲げた状態から自然に復帰し、係止片部９１−１が開口部２８ａに係止される。同様に、先端片部９４−２を折曲片部９２−２に対して折り曲げて（底面側と上面側のいずれかに折り曲げる）、折曲片部９２−２を開口部２８ｂ内に回動させることにより、先端片部９４−２が折曲片部９２−２に対して折り曲げた状態から自然に復帰し、係止片部９１−２が開口部２８ｂに係止される。また、切欠部９５−１、９５−２が設けられているので、係止状態の係止片部９１−１、９１−２を外側に回動させる際に切欠部９５−１、９５−２に指を入れて操作することができる。
【００７１】
なお、左側構成部１０の脱落防止用板部６０が前側背面板部５２に対して背面側に折り返された状態で右側構成部７０の背面部７４内に設けられていて、右側構成部７０の脱落防止用板部１２０が後側背面板部１１６に対して正面側に折り返されているので、図１、図３に示すように最も長く伸ばした状態にした場合でも、脱落防止用板部６０と脱落防止用板部１２０とが互いに係止して左側構成部１０と右側構成部７０の脱落が防止される。同様に、左側構成部１０の脱落防止用板部４６が正面板部２４に対して正面側に折り返された状態で右側構成部７０の底面部７２内に設けられていて、右側構成部７０の脱落防止用板部１０４が正面板部８４に対して背面側に折り返されているので、図１、図３に示すように最も長く伸ばした状態にした場合でも、脱落防止用板部４６と脱落防止用板部１０４とが互いに係止して左側構成部１０と右側構成部７０の脱落が防止される。
【００７２】
また、伸縮棚５を載置する机、テーブル、棚等の寸法の規格として、通常、４５ｃｍ、６０ｃｍ、９０ｃｍ等が存在するが、伸縮棚５においては、最も伸ばした状態の長さが略９０ｃｍであり、最も縮めた状態の長さが略４５ｃｍであり、係止片部９１−１、９１−２を係止させた状態の長さが略６０ｃｍとなるので、それぞれの長さに対応させることができ、机、テーブル、棚の幅に合わせて載置することが可能となる。
【００７３】
なお、上記の構成においては、脱落防止用板部６０が前側背面板部５２の背面側に折り返して形成され、脱落防止用板部１２０が後側背面板部１１６の正面側に折り返して形成されているとしたが、脱落防止用板部６０が前側背面板部５２の正面側に折り返して形成され、脱落防止用板部１２０が前側背面板部１１２のＸ１側の端部から背面側に折り返して形成されているものとしてもよい。
【００７４】
また、上記の説明においては、左側構成部１０を右側構成部７０に挿入するものとして説明したが、伸縮棚５の構成を左右対称にして、右側構成部を左側構成部に挿入する構成としてもよい。その場合には、開口部２８ａ、２８ｂは右側構成部に設けられ、係止片部９１−１、９１−２は左側構成部に設けられることになる。
【符号の説明】
【００７５】
５  伸縮棚
１０  左側構成部
１２、７２  底面部
１４、７４  背面部
１６、７６  側面部
２０、５０、８０、１１０  ブランク
２２、８２  上側底面板部
２４、８４  正面板部
２６、８６  下側底面板部
２８ａ、２８ｂ、３０ａ、３０ｂ  開口部
３２ａ、３２ｂ、９５−１、９５−２  切欠部
３４、５６、６８、９６、１１６、１２８  後側背面板部
３６、４０、４２、４８、６２、６６、９８、１０２、１２２、１２６  側面板部
３８、１００  フラップ部
４４  差込み片部
４６、６０、１０４、１２０  脱落防止用板部
５２、１１２  前側背面板部
５４、５９、６４、１１４、１２４  帯状部
５８、１１８  底面板部
７０  右側構成部
８７  本体部
９１−１、９１−２  係止片部
９２−１、９２−２  折曲片部
９４−１、９４−２  先端片部
【図１】
0003150856.tif 000003
【図２】
0003150856.tif 000004
【図３】
0003150856.tif 000005
【図４】
0003150856.tif 000006
【図５】
0003150856.tif 000007
【図６】
0003150856.tif 000008
【図７】
0003150856.tif 000009
【図８】
0003150856.tif 000010
【図９】
0003150856.tif 000011
【図１０】
0003150856.tif 000012
【図１１】
0003150856.tif 000013
【図１２】
0003150856.tif 000014
【図１３】
0003150856.tif 000015